(57)【特許請求の範囲】
【請求項１】
本体から敷設ケーブルを介して電力供給されるケーブル異常判定装置であって、
前記敷設ケーブルの一端の電圧を測定するＡ／Ｄ変換器と、
前記Ａ／Ｄ変換器の測定電圧が書き込み可能な不揮発性記憶部と、
前記不揮発性記憶部に測定電圧が書き込まれていない場合であって、前記一端の第１測定電圧が所定電圧以上であるときに、前記第１測定電圧を前記不揮発性記憶部に格納する第１機能部と、
前記不揮発性記憶部から読み出した格納測定電圧と前記一端の第２測定電圧との電圧差が設定電圧以上であればケーブル異常と判定する判定部とを有する制御部と
を備えることを特徴とするケーブル異常判定装置。
【請求項２】
請求項１に記載のケーブル異常判定装置であって、
バックライトを備えた表示部をさらに有し、
前記制御部は、前記判定部によって前記電圧差が設定電圧以上と判定されたときに、前記バックライトの輝度を最低レベルに設定する第２機能部をさらに備える
ことを特徴とするケーブル異常判定装置。
【請求項３】
請求項１又は請求項２に記載のケーブル異常判定装置であって、
前記敷設ケーブルは、単位長さ当りの導体抵抗が予め規定されており、
前記第１機能部は、前記第１測定電圧が前記所定電圧未満であるとき、前記本体が前記敷設ケーブルの他端に印加する印加電源電圧と、前記一端の測定電圧との電位差に基づいて、前記敷設ケーブルの長さを推定し、推定した長さを表示部に表示させる
ことを特徴とするケーブル異常判定装置。
【請求項４】
請求項１乃至請求項３の何れか一項に記載されたケーブル異常判定装置を備えたリモコンであって、
前記本体を制御することを特徴とするリモコン。
【請求項５】
本体から敷設ケーブルを介して電力供給され、前記敷設ケーブルの一端の電圧を測定するＡ／Ｄ変換器と不揮発性記憶部とを備えるケーブル異常判定装置の制御部が実行するケーブル異常判定方法であって、
前記不揮発性記憶部に測定電圧が書き込まれていない場合であって、前記一端の第１測定電圧が所定電圧以上であるときに、前記第１測定電圧を前記不揮発性記憶部に格納し、
前記不揮発性記憶部から読み出した格納測定電圧と前記一端の第２測定電圧との電圧差が設定電圧以上であればケーブル異常と判定する
ことを特徴とするケーブル異常判定方法。
【請求項６】
本体から敷設ケーブルを介して電力供給され、前記敷設ケーブルの一端の電圧を測定するＡ／Ｄ変換器と不揮発性記憶部とを備えるケーブル異常判定装置の制御部に実行させるケーブル異常判定プログラムであって、
前記不揮発性記憶部に測定電圧が書き込まれていない場合であって、前記一端の第１測定電圧が所定電圧以上であるときに、前記第１測定電圧を前記不揮発性記憶部に格納させ、
前記不揮発性記憶部から読み出した格納測定電圧と前記一端の第２測定電圧との電圧差が設定電圧以上であればケーブル異常と判定させる
ことを特徴とするケーブル異常判定プログラム。
【請求項７】
給湯器本体と、該給湯器本体から敷設ケーブルを介して電力供給されるリモコンとを備えるリモコン付き給湯器であって、
前記リモコンは、
前記敷設ケーブルの一端の電圧を測定するＡ／Ｄ変換器と、
不揮発性記憶部と、
前記不揮発性記憶部に測定電圧が書き込まれていない場合であって、前記一端の第１測定電圧が所定電圧以上であるときに、前記第１測定電圧を前記不揮発性記憶部に格納する第１機能部と、
前記不揮発性記憶部から読み出した格納測定電圧と前記一端の第２測定電圧との電圧差が設定電圧以上であればケーブル異常と判定する判定部と
を備えることを特徴とするリモコン付き給湯器。
【発明の詳細な説明】
【技術分野】
【０００１】
本発明は、ケーブル異常判定装置、リモコン、ケーブル異常判定方法、ケーブル異常判定プログラム、及びリモコン付き給湯器に関する。
【背景技術】
【０００２】
台所や浴室で使用される給湯器は、給湯器本体をリモコンで制御するように構成されており、給湯器本体とリモコンとはケーブルで接続されることが多い。例えば、特許文献１は、リモコンで給湯器を制御する技術が記載されている。また、特許文献２は、給湯器の操作ボタンのスイッチと共通ユニットとを、２本以下のケーブルを用いて接続する技術が記載されている。
【先行技術文献】
【特許文献】
【０００３】
【特許文献１】特開２００３−１８５２４５号公報
【特許文献２】特開２００８−２６１５９７号公報（請求項２）
【発明の概要】
【発明が解決しようとする課題】
【０００４】
ところで、リモコン付き給湯器は、給湯器本体とリモコンとを接続するケーブルの配線材の相違、規定よりも長い距離、コネクタの接触不良や経年劣化により、リモコンが動作したり動作しなかったりする。また、リモコンが動作しなくなるような不良は、配線材や距離に初期原因があっても、工事後の初期段階では問題になりにくく、コネクタの経年劣化や接触不良が加わり、数年後に不具合が発生することがある。
例えば、規定の配線材が使用されていないとか、その総長が通信保証距離以上であるとかの工事段階で発生する初期問題をその場で発見することは好ましい。ケーブル異常判定装置をリモコンに設けることは、ケーブルの経年劣化や接触不良が発生したときの不具合を未然防止することができる。
【０００５】
本発明は、このような事情に鑑みてなされたものであり、本体を接続する敷設ケーブルの異常を判定するケーブル異常判定装置、リモコン、ケーブル異常判定方法、ケーブル異常判定プログラム、及びリモコン付き給湯器を提供することを目的とする。
【課題を解決するための手段】
【０００６】
前記目的を達成するために、本願発明は、本体から敷設ケーブルを介して電力供給されるケーブル異常判定装置であって、前記敷設ケーブルの一端の電圧を測定するＡ／Ｄ変換器と、前記Ａ／Ｄ変換器の測定電圧が書き込み可能な不揮発性記憶部と、前記不揮発性記憶部に測定電圧が書き込まれていない場合であって、前記一端の第１測定電圧が所定電圧以上であるときに、前記第１測定電圧を前記不揮発性記憶部に格納する第１機能部と、前記不揮発性記憶部から読み出した格納測定電圧と前記一端の第２測定電圧との電圧差が設定電圧以上であればケーブル異常と判定する判定部とを有する制御部とを備えることを特徴とする。
【発明の効果】
【０００８】
本発明によれば、本体を接続する敷設ケーブルの異常を検出することができる。
【図面の簡単な説明】
【０００９】
【図１】本発明の第１実施形態であるケーブル異常判定装置の構成図、及びケーブルの電圧変化を示す図である。
【図２】本発明の第１実施形態であるケーブル異常判定装置の電源回路の回路図である。
【図３】リモコンの構成図である。
【図４】ケーブルの初期異常を検出するためのフローチャートである。
【図５】ケーブル長を推定表示した画面の例である。
【図６】ケーブルの劣化現象を説明するための説明図である。
【図７】ケーブルの経時劣化を検出するためのフローチャートである。
【発明を実施するための形態】
【００１０】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１１】
図１は、本発明の第１実施形態であるケーブル異常判定装置の構成図、及び電圧変化を示す図である。
図１（ａ）の構成図において、リモコン付き給湯器は、給湯器本体２００とリモコン１００とがケーブル３００で接続され、リモコン１００がケーブル３００の配線抵抗を計測し、ケーブル異常判定装置として機能する。
給湯器本体２００は、直流電源２１０と通信部７０とコネクタ３１５とを備え、直流電源２１０は、電源電圧Ｖ１＝１２Ｖを発生する。通信部７０は、カップリングコンデンサ６２を介して、コネクタ３１５に接続されており、ケーブル３００を介してリモコン１００とデジタル通信を行う。
【００１２】
ケーブル３００は、２芯の電力線であり、直流電源２１０が発生する１２Ｖの直流電力をリモコン１００に供給する。ケーブル３００は、所定の線材（例えば、ＡＷＧ２３）、及び長さ（例えば、３０ｍ）が予め規定された規格ケーブルであるとする。なお、ＡＷＧ２３の線材の導体抵抗（慣用語であり、特許請求の範囲では、単位長さ当りの導体抵抗と記載している。）は、約６７．５［Ω／ｋｍ］である。また、ケーブル３００は、直流の電源電圧Ｖ１に交流成分を重畳させて、給湯器本体２００とリモコン１００との間の通信線を兼用する。
【００１３】
リモコン１００は、電源回路３０とコネクタ３１０と通信部７０とを備え、コネクタ３１０はケーブル３００と電源回路３０とを接続している。電源回路３０は、ブリッジ整流回路３２とコイル６５とカップリングコンデンサ６０とを備え、コイル６５を介して１２Ｖ端子に接続され、カップリングコンデンサ６０を介して、通信部７０に接続されている。また、１２Ｖ端子は、表示・音声回路１０（図３）が接続されている。
【００１４】
ブリッジ整流回路３２は、コネクタ３１０，３１５の接続ミスがあっても、リモコン１００の内部回路に正の電源電圧が印加されるように、コネクタ３１０と１２Ｖ端子に接続されるコイル６５との間に挿入されている。なお、ブリッジ整流回路３２は、コネクタ３１０に接続されている端子間の直流電圧をＶ２とし、内部回路に電力供給する端子間の直流電圧をＶ３とする。また、ブリッジ整流回路３２の各々のダイオードは、順方向電圧ＶＦを有し、例えば、直流電流ＩＤ＝７０ｍＡのときに、ＶＦ＝０．４Ｖである。なお、ダイオードの順方向電圧ＶＦは、直流電流ＩＤによって若干、変動するものなので、特許請求の範囲では、順方向推定電圧としている。
【００１５】
図１（ｂ）は、給湯器本体２００からリモコン１００までのケーブル３００の電圧変化を示す図である。図１（ｂ）は、横軸が距離Ｌであり、縦軸が電圧Ｖ（Ｌ）である。また、ケーブル３００の規格長は最大３０ｍまでに決められているが、図１（ｂ）は、リモコン１００内部のブリッジ整流回路３２までの電圧変化を示している。
【００１６】
ケーブル３００は、給湯器本体２００側（コネクタ３１５側）に電源電圧Ｖ１＝１２Ｖが印加されており、線材の導体抵抗（単位長さ当りの導体抵抗）により、距離Ｌと共に直線的に電位が低下し、リモコン１００側（コネクタ３１０側）で電圧Ｖ２まで低下する。ここで、ケーブル３００による電圧降下（Ｖ１−Ｖ２）は、導体抵抗６７．５［Ω／ｋｍ］、消費電流７０ｍＡ、ケーブル長３０ｍ（往復６０ｍ）のとき、０．２８３５Ｖである。なお、往復線路での電圧降下が０．２８３５Ｖであり、片道での電圧降下は０．１４１８Ｖである。
【００１７】
リモコン１００は、ブリッジ整流回路３２を備えており、ブリッジ整流回路３２のダイオードが順方向電圧ＶＦ＝０．４Ｖ（ＩＤ＝７０ｍＡ）の電圧降下を生じる。つまり、リモコン１００の１２Ｖ端子の電圧をＶ３とすると、給湯器本体２００からリモコン１００の１２Ｖ端子までの電圧降下は、Ｖ１−Ｖ３＝Ｖ１−Ｖ２＋ＶＦ＝０．６８３５Ｖとなる。
【００１８】
もし、ケーブル３００が規格ケーブル（ＡＷＧ２３、長さ３０ｍ）でないときには、１２Ｖ端子の電圧Ｖ３はＶ３＝１２Ｖ−０．６８３５Ｖ≒１１．３Ｖではない。また、１２Ｖ端子の電圧Ｖ３を測定することにより、規定線材（ＡＷＧ２３）を前提にしたときの配線長Ｌを推定することができる。
【００１９】
例えば、１２Ｖ端子の測定電圧Ｖ３が１１．２Ｖであったとする。ケーブル３００ａの電圧降下は、Ｖ１−Ｖ２＝Ｖ１−（Ｖ３＋ＶＦ）＝１２Ｖ−（１１．２＋０．４Ｖ）＝０．４Ｖである。配線測定モード（通常表示、バックライト中）における、リモコン１００の消費電流ＩＤは、ＩＤ＝７０ｍＡに特定されているので、配線抵抗は、０．４Ｖ／０．０７Ａ＝５．７１Ωである。規格ケーブルは、導体抵抗６７．５［Ω／ｋｍ］であるので、往復の総配線長２Ｌは８４ｍとなる。つまり、ケーブル３００ａの長さ（配線長Ｌ）は、この半分の４２ｍと推定され、規格長３０ｍと大きく異なるので「異常」と判定される。
【００２０】
図２は、電源回路の回路図である。
前記したように、電源回路３０は、ブリッジ整流回路３２とコイル６５とカップリングコンデンサ６０とリセットＩＣ１１５を備え、コイル６５を介して１２Ｖ端子に接続され、カップリングコンデンサ６０を介して、通信部７０に接続されている。また、ブリッジ整流回路３２はコネクタ３１０に接続されており、１２Ｖ端子は、表示・音声回路１０が接続されている。
【００２１】
電源回路３０は、さらに、三端子電源３４と、ダイオード３６と、電解コンデンサ５１，５２と、コンデンサ５３，５４と、抵抗器４１，４３，４５と、チェナダイオード３８とを備えている。なお、抵抗器４１，４３，４５とチェナダイオード３８とは、分圧回路を構成する。
【００２２】
三端子電源３４は、ＩＮ端子とＯＵＴ端子と接地端子とを有し、１２Ｖ端子の電圧Ｖ３を５Ｖに降圧し、降圧された直流電力をマイコン１１０、及び通信部７０の電源端子に供給するものである。電解コンデンサ５１、及びコンデンサ５３は、１２Ｖ端子の電圧Ｖ３を平滑するものであり、電解コンデンサ５２、及びコンデンサ５４は、三端子電源３４の出力電圧を平滑するものである。ダイオード３６は、三端子電源３４のＩＮ端子とＯＵＴ端子との間に接続されており、入力電圧が出力電圧よりも低下したときに、電解コンデンサ５２に蓄えられたエネルギを入力側に戻すものである。
【００２３】
リセットＩＣ１１５は、マイコン１１０のリセットを行うものであり、１２Ｖ端子の電圧Ｖ３が一定電圧（例えば、６．５Ｖ）を下廻るとリセットするように構成されている。三端子電源３４は、６．５Ｖ以下の入力電圧になると、入力電圧の低下に比例して出力電圧が５Ｖ以下となってしまうものである。このため、通信部７０（通信用ＩＣ）が不安定になる恐れが発生するので、リセットＩＣ１１５は、１２Ｖ端子の電圧Ｖ３が６．５Ｖを下廻るとマイコン１１０をリセットするようにしている。
【００２４】
抵抗器４１，４３，４５は、直列接続されており、１２Ｖ端子の電圧Ｖ３を分圧し、分圧された分圧電圧をマイコン１１０（図３）内部のＡ／Ｄ変換器２０に入力するものである。チェナダイオード３８は、抵抗器４３，４５の直列回路の両端に接続されており、Ａ／Ｄ変換器２０の入力電圧保護用である。
【００２５】
図３は、リモコン１００の構成図である。
リモコン１００は、電源回路３０と、マイコン１１０と、表示・音声回路１０とを備える。マイコン１１０は、制御部（ＣＰＵ）１２０と、不揮発性記憶部１３０と、揮発性記憶部（ＲＡＭ）１４０と、Ａ／Ｄ変換器２０と、Ｄ／Ａ変換器２５と、Ｉ／Ｏポート１５０と、通信部７０とを備える。制御部１２０は、プログラムを実行することにより起動時制御部１２１と通常運転部１２３との機能を実現し、５Ｖ電源である。なお、破線で示すセーフ運転部１２５、及び割込機能部１２７は、後記する第２実施形態で用いる。
【００２６】
また、不揮発性記憶部１３０は、書き込み可能なＦＲＯＭ（Flash Read Only Memory）により、構成されており、プログラムだけでなく、ケーブル３００の終端の電圧（１２Ｖ端子（図１，２）の電圧）を測定した測定電圧１３５を格納する領域が確保されている。
【００２７】
表示・音声回路１０は、ＬＣＤ（Liquid Crystal Display）パネルを用いた操作表示部１７０と、ＬＣＤのバックライトを点灯させるバックライト電源部１６０と、スピーカ１８５と、アンプ１８０とを備え、通常表示、且つバックライト中輝度の設定において、リモコン１００の消費電流は７０ｍＡ程度である。また、表示・音声回路１０は、１２Ｖ電源である。アンプ１８０は、Ｄ／Ａ変換器２５が出力したアナログ音声信号を増幅し、スピーカ１８５を駆動する。
【００２８】
起動時制御部１２１は、電源投入時等の起動時に１２Ｖ端子の電圧Ｖ３の電圧測定を過去に行っていたか判定し、電圧測定が行われていなかったときには、電圧Ｖ３の電圧測定を行い、所定電圧との電位差に基づいて、ケーブル３００が規格ケーブルであるか否か判定する。また、起動時制御部１２１は、ケーブル３００が規格ケーブルであると判定したときには、電圧Ｖ３の測定電圧を不揮発性記憶部１３０に電圧Ｖ３の電圧測定を格納する。
【００２９】
通常運転部１２３は、ケーブル３００が規格ケーブルであると判定したときに通常運転を行う。ここで、通常運転とは、バックライトの輝度やスピーカ１８５を駆動するアンプ１８０の出力を制限することなく、通常の消費電力で運転することをいう。
【００３０】
（動作説明）
図４は、ケーブルの初期異常を検出するためのフローチャートである。
このルーチンは、給湯器本体２００（図１）の電源投入により、ケーブル３００を介してリモコン１００に直流電力が供給され、制御部１２０（図３）が起動したときに開始する。なお、工事作業者による給湯器本体２００、及びリモコン１００の配設、及びケーブル３００の敷設が完了し、最初に電源が投入されたときには、不揮発性記憶部１３０に測定電圧１３５が格納されていないものとする。
【００３１】
起動時制御部１２１は、１２Ｖ端子の電圧Ｖ３が測定済みか否か判定する（Ｓ１０）。不揮発性記憶部１３０に測定電圧１３５が格納されていない場合は（Ｓ１０で未測定）、過去に電圧測定が成されていないか、異常なケーブルであると判定されているときであり、起動時制御部１２１は、Ａ／Ｄ変換器２０（図３）を用いて、１２Ｖ端子の電圧Ｖ３を測定する（Ｓ１２）。このとき、起動時制御部１２１は、配線測定モード（通常表示、バックライト中輝度）に設定する。起動時制御部１２１は、測定した測定電圧Ｖ３が異常値か否か判定する（Ｓ１４）。起動時制御部１２１は、例えば、測定電圧Ｖ３が所定電圧以上（例えば、１１．３Ｖ以上）であれば、「異常無し」（正常）と判定し、所定電圧未満（例えば、１１．３Ｖ未満）のときに「異常」と判定する。なお、この所定電圧は、計算値（１１．３Ｖ）に許容電圧を加算した値にすることが好ましい。
【００３２】
起動時制御部１２１は、「異常」と判定したときには（Ｓ１４で異常）、ケーブル３００の配線長を推定する（Ｓ１６）。つまり、起動時制御部１２１は、給湯器本体２００側の電源電圧Ｖ１とリモコン１００側の電圧Ｖ２との差（Ｖ１−Ｖ２）＝｛Ｖ１−（Ｖ３＋ＶＦ）｝は、リモコン１００の消費電流ＩＤ［ｍＡ］、ケーブル３００の導体抵抗ｒ［Ω／ｋｍ］、往復の総配線長２×Ｌ［ｍ］として、
Ｖ１−（Ｖ３＋ＶＦ）＝０．００１×ＩＤ／１０００×ｒ×２×Ｌ
Ｌ＝（Ｖ１−Ｖ３＋ＶＦ）×１０６／（２×ＩＤ×ｒ）
で推定できる。例えば、前記したように、配線測定モード（通常表示、バックライト中設定）における消費電流ＩＤ＝７０［ｍＡ］、ダイオードの順方向電圧ＶＦ＝０．４Ｖ（ＩＤ＝７０［ｍＡ］）、規定線材（ＡＷＧ２３）の導体抵抗ｒ＝６７．５［Ω／ｋｍ］として、１２Ｖ端子の測定電圧Ｖ３＝１１．２Ｖのとき、配線長Ｌ＝４２ｍ（片道）と推定される。
【００３３】
そして、起動時制御部１２１は、推定された配線長Ｌを表示・音声回路１０の操作表示部１７０に表示させる（Ｓ１８、図５参照）。このとき、起動時制御部１２１は、画面に表示された「ケーブル長に妥当性があるときは、確認ボタンを押下して下さい。」との表示を操作表示部１７０に表示させる（図５参照）。そして、起動時制御部１２１は、設置業者が「確認」ボタン１７５を押下したか否か判定する。つまり、操作表示部１７０に表示された配線長Ｌが「４２ｍ」であれば、異常であり、ケーブル３００の敷設をやり直す必要がある。しかしながら、配線長Ｌが、例えば、「３５ｍ」であれば、許容範囲であり、設置業者の判断で「確認」ボタン１７５を押下することができる。
【００３４】
起動時制御部１２１は、設置業者が「確認」ボタン１７５を押下しなければ（Ｓ２０で非押下）、Ｓ１８に処理を戻し、配線長Ｌを表示し続ける。つまり、起動時制御部１２１は、設置業者が給湯器本体２００の電源をＯＦＦして、ケーブル３００の敷設をやり直すまで待機することになる。一方、設置業者が「確認」ボタン１７５を押下すれば（Ｓ２０で押下）、起動時制御部１２１は、Ｓ１２で測定した測定電圧Ｖ３を不揮発性記憶部１３０に測定電圧１３５として格納し（Ｓ２２）、通常運転を通常運転部１２３（図３）に行わせる（Ｓ２４）。つまり、設置業者が「確認」ボタン１７５を押下しなければ（Ｓ２０で非押下）、起動時制御部１２１は、不揮発性記憶部１３０に測定電圧１３５を格納しない。
【００３５】
また、起動時制御部１２１は、電源投入時、測定電圧Ｖ３が測定済みのとき（Ｓ１０で測定済み）は、通常運転を通常運転部１２３（図３）に行わせる（Ｓ２４）。また、起動時制御部１２１は、測定電圧Ｖ３に異常が無いときは（Ｓ１４で異常無し）、Ｓ１２で測定した測定電圧Ｖ３を不揮発性記憶部１３０に測定電圧１３５として格納してから（Ｓ２２）、通常運転を通常運転部１２３（図３）に行わせる（Ｓ２４）。
【００３６】
以上説明したように、本実施形態のリモコン１００は、１２Ｖ端子の電圧Ｖ３を測定し、ケーブル３００の異常の有無を判定する（Ｓ１４）。また、リモコン１００は、電圧降下からケーブル３００の配線長Ｌを推定し（Ｓ１６）、推定された配線長Ｌを操作表示部１７０に表示し（Ｓ１８）、設置業者に確認を求める。これらにより、リモコン１００は、規定の配線材を使用していないとか、通信保証距離以上の総長であるとかのケーブル３００の敷設時に発生する初期問題を未然防止することができる。また、リモコン１００は、敷設されたケーブル３００に問題が無ければ（Ｓ１４で異常無し、Ｓ２０で押下）、不揮発性記憶部１３０に測定電圧１３５を格納するので（Ｓ２２）、次回以降の電源投入時は、測定電圧１３５の格納を確認するのみであり（Ｓ１０で測定済み）、１２Ｖ端子の電圧測定を行わない。
【００３７】
（第２実施形態）
前記第１実施形態のリモコン１００は、初回電源投入時に、敷設されたケーブル３００に異常が無いと判定されれば、次回以降の電源投入時は、１２Ｖ端子の電圧測定を行わなかった。第２実施形態のリモコン１０１は、１日１回程度の所定間隔（例えば、動作に支障の無い夜中の２時頃）で、１２Ｖ端子の電圧測定を行い、異常発生の場合、強制的に消費電流の低減を行う。これにより、リモコン１０１は、コネクタを含めたケーブル３００の経時変化による動作不良を防ぐことができる。
【００３８】
図６は、ケーブルの劣化現象を説明するための説明図である。図６（ａ）は正常時の１２Ｖ端子の電圧Ｖ３の経時変化を示しており、図６（ｂ）は配線抵抗が経時的に増加した場合であって、セーフ運転無しのときの電圧Ｖ３の変化を示しており、図６（ｃ）は配線抵抗が経時的に増加した場合であって、セーフ運転を行ったときの電圧Ｖ３の変化を示している。ここで、セーフ運転とは、バックライト輝度を最低レベルとし、アンプ出力を「小」に設定した状態をいう。
【００３９】
図６（ａ）において、電圧Ｖ３は経時的には電圧降下しないが、負荷が大きくなったときに、電圧Ｖ３が電圧ＶＤ１まで電圧降下する。しかしながら、リモコン１００の最低動作電圧ＶＬは下廻らない。ここで、例えば、マイコン１１０のＤ／Ａ変換器２５がアラームや音声ガイダンス等のアナログ音声信号を出力し、アンプ１８０を駆動したときに、負荷が大きくなる。この負荷が大きくなったときは、消費電流ＩＤは、例えば１００ｍＡ増加して、計１７０ｍＡになる。また、リモコン１００の最低動作電圧ＶＬは、例えば、１２Ｖ駆動のアンプ１８０の出力が不安定になる電圧である。
【００４０】
図６（ｂ）においては、電圧Ｖ３は経時的に電圧降下している。つまり、図６（ｂ）は、ケーブル３００の配線インピーダンス（コネクタ３１０，３１５の接触抵抗を含む）が徐々に大きくなっている状態を示している。この状態で、リモコン１００の消費電流が大きくなると、電圧Ｖ３が電圧ＶＤ２まで電圧降下し、リモコン１００の最低動作電圧ＶＬを下廻る。リモコン１００は、電圧Ｖ３が最低動作電圧ＶＬを下廻った状態では、アンプ１８０の出力が不安定になってしまう。また、リモコン１００は、電圧Ｖ３が前記した所定電圧（６．５Ｖ）を下廻ったときには、リセットＩＣ１１５（図２）が機能し、マイコン１１０がリセットしてしまう。
【００４１】
図６（ｃ）についても、電圧Ｖ３は経時的に電圧降下している。しかしながら、セーフ運転であるので、電圧Ｖ３が電圧ＶＬまでは電圧降下しない。
【００４２】
（構成）
第２実施形態のリモコン１０１の構成は、第１実施形態のリモコン１００と同様であるが、制御部１２０は、セーフ運転部１２５、及び割込機能部１２７（図３の破線参照）を設けている点で相違する。セーフ運転部１２５は、バックライトの輝度を最低レベルにし、スピーカ１８５を駆動するアンプ１８０の出力を「小」に制限して運転を行う。割込機能部１２７は、１日１回程度のタイマ割込を発生する。
【００４３】
（動作）
図７は、ケーブルの経時劣化を検出するためのフローチャートである。
このルーチンは、１日１回程度（例えば、動作に支障の無い夜中の２時頃）のタイマ割込で起動する。このルーチンは、電源投入時に毎回起動してもよいが、２４時間運転の場合は、タイマ割込が好ましい。本実施形態では、制御部１２０に割込機能部１２７（図３の破線）が追加される。
【００４４】
割込機能部１２７は、不揮発性記憶部１３０に格納された格納電圧（測定電圧１３５）の読み込みを行う（Ｓ３０）。つまり、割込機能部１２７は、ケーブル３００の敷設時に測定された測定電圧Ｖ３を初期電圧として読み込む。次に、割込機能部１２７は、１２Ｖ端子の電圧Ｖ３（図１，２）を測定する（Ｓ３２）。このとき、測定時刻が夜中の２時頃だとすると、バックライトが消灯している可能性が高いが、割込機能部１２７は、前記した配線測定モード（通常表示、バックライト中輝度）に設定して、消費電流を７０ｍＡにする。
【００４５】
次に、割込機能部１２７は、測定された測定電圧と初期電圧との電位差を演算し、演算された電位差が設定電圧（例えば、１Ｖ）以上か否かを判定する（Ｓ３４）。割込機能部１２７は、電位差が設定電圧以上であれば（Ｓ３４で１Ｖ以上）、セーフ運転部１２５（図３）に運転を行わせ（Ｓ３６）、電位差が設定電圧未満であれば（Ｓ３４で１Ｖ未満）、通常運転部１２１（図３）に運転を行わせる。ここで、設定電圧１Ｖは、前記した規格ケーブル往復の電圧降下０．２８３５Ｖの約３．５倍であり、配線インピーダンスも約３．５倍である。
【００４６】
また、割込機能部１２７は、音声ガイダンス「リモコンの電源電圧が不足しています。このままご使用になりますと、リモコンが動作しなくなる可能性がありますので、点検を受けて下さい。」との音声信号を生成し、この音声ガイダンスをスピーカ１８５に放音させるようにしてもよい。この音声ガイダンスにより、利用者による修理が促される。
【００４７】
第２実施形態のリモコン１０１は、ケーブル３００の敷設時に測定された１２Ｖ端子の初期電圧と、１日１回測定された測定電圧との電位差が設定電圧（例えば、１Ｖ）以上あるか否か判定する。これにより、リモコン１０１は、コネクタ３１０，３１５を含めたケーブル３００の経時劣化や接触不良を検出することができる。また、電位差が設定電圧以上であれば、強制的にセーフ運転（バックライト輝度を最低レベルとし、アンプ出力を「小」に設定した状態）を行う。これにより、リモコン１００は、その消費電流が少なくなり、最低動作電圧ＶＬを下廻ることなく（図６（ｃ））、過負荷による一時的な動作停止や音声不良等を未然に防ぐ延命動作をすることができる。
【００４８】
（変形例）
本発明は前記した実施形態に限定されるものではなく、例えば以下のような種々の変形が可能である。
（１）前記第１実施形態のリモコン１００は、ケーブル異常判定装置の機能を有していた。このケーブル異常判定装置は、給湯器のリモコンだけでなく、本体とケーブルで接続されている電子機器（例えば、表示装置）にも備えることができる。また、リモコン１００は、ケーブル３００を介して直流電圧（１２Ｖ）を受電していたが、交流電圧を受電することもできる。
【００４９】
（２）前記第１実施形態のリモコン１００は、電源投入後、不揮発性記憶部１３０に測定電圧１３５が格納されているか確認し（Ｓ１０）、未測定のときに電圧測定を行っていたが（Ｓ１２）、毎回、電圧測定を行い、配線長の表示（Ｓ１８）を行っても構わない。
（３）前記第１実施形態のリモコン１００は、ケーブル３００の逆接続による不具合を防止するために、ブリッジ整流回路を設けたが、１本のダイオードでもよく、ダイオードが無くても構わない。ダイオードを接続しない場合は、Ａ／Ｄ変換器２０は、コネクタ３１０の電圧を測定し、制御部１２０は、ケーブル３００の電圧降下（Ｖ１−Ｖ２）を演算することになる。
【符号の説明】
【００５０】
１０  表示・音声回路
２０  Ａ／Ｄ変換器
２５  Ｄ／Ａ変換器
３０  電源回路
３２  ブリッジ整流回路
３４  三端子電源
３６  ダイオード
３８  チェナダイオード
４１，４３，４５，４７  抵抗器
５１，５２  電解コンデンサ
５３，５４  コンデンサ
６０，６２  カップリングコンデンサ
６５  コイル
７０  通信部
１００，１０１  リモコン（ケーブル異常判定装置）
１１０  マイコン
１１５  リセットＩＣ
１２０  制御部
１２１  起動時制御部
１２３  通常運転部
１２５  セーフ運転部
１２７  割込機能部
１３０  不揮発性記憶部（ＦＲＯＭ）
１３５  測定電圧
１４０  揮発性記憶部（ＲＡＭ）
１５０  Ｉ／Ｏポート
１６０  バックライト電源部
１７０  操作表示部
１７５  確認ボタン
１８０  アンプ
１８５  スピーカ
２００  給湯器本体
２１０  直流電源
３００  ケーブル
３１０，３１５  コネクタ
【図１】
0006529301.tif 000002
【図２】
0006529301.tif 000003
【図３】
0006529301.tif 000004
【図４】
0006529301.tif 000005
【図５】
0006529301.tif 000006
【図６】
0006529301.tif 000007
【図７】
0006529301.tif 000008